(57)【特許請求の範囲】
【請求項１】
携帯用電子機器の２次側コイル側の一端を、本体ケースの一部に設けられた収納凹部にはめ込むことにより、前記携帯用電子機器の充電を行う非接触式電源装置であって、前記２次側コイルと対向するように前記本体ケースの内部に配置される１次側コイルと、この１次側コイルがプリント基板に実装された回路ユニットと、この回路ユニットを前記１次側コイルを用いて前記本体ケース内に保持するための１次側コイル保持部とを備え、前記１次側コイルのコイルボビンの外径方向に突出したつば部を一体に設けるとともに、このつば部を前記１次側コイル保持部で保持することにより、前記１次側コイルの先端を前記収納凹部の壁面に当接させるとともに、前記１次側コイルを前記携帯用電子機器の２次側コイルに対向させたことを特徴とする非接触式電源装置。
【請求項２】
１次側コイル保持部は、相対向するように設けられたスリットからなり、このスリットに１次側コイルに設けられたつば部を圧入することにより回路ユニットを保持したことを特徴とする請求項１に記載の非接触式電源装置。
【請求項３】
プリント基板の一端側を本体ケースの内部に設けたリブに当接させるとともに、他端側を前記本体ケースの底板に当接させることにより回路ユニットを保持したことを特徴とする請求項１に記載の非接触式電源装置。
【発明の詳細な説明】
【０００１】
【発明の属する技術分野】
本発明は家庭用コードレス電話機、携帯電話機、ＰＨＳ、ＰＤＡ等の小型ポータブル機器などの携帯用電子機器に非接触で充電電力を供給する非接触式電源装置に関するものである。
【０００２】
【従来の技術】
近年、いつでもどこででも使用できる携帯用電子機器が多用化されてきている。例えば、家庭内においてはコードレス電話機が普及し、屋外においては携帯用電話機やＰＨＳが普及し、ビジネス上ではＰＤＡ等の小型ポータブル機器が普及している。
【０００３】
このような携帯用電子機器は、充電可能な電池を電源として内蔵しているが、その充電電力はあまり多くなく、度々充電して次の使用に備える必要がある。
【０００４】
従来のこれらの携帯用電子機器に充電する非接触式電源装置としては図７〜図９に示すものが実用化されている。
【０００５】
まず、図７に示すものは、上面に携帯用電子機器の一端部をはめこむ収納凹部１を備えたケース本体２の底面の開口部からＡＣコード３に接続されてＡＣ電圧を供給される１次側コイルを備えた回路ユニット４が、ケース本体２の内部に設けた取付ボス５にビス６により固着され、回路ユニット４の１次側コイルは収納凹部１の内底面に近接するようになっている。
【０００６】
また、図８に示すものは、上面に収納凹部１を備えたケース本体２の内部に収納凹部１の側壁に近接して平行にスライド保持枠７を設け、このスライド保持枠７に１次側コイル８と制御回路、整流回路などを構成する各種電子部品９を実装したプリント基板１０からなる回路ユニット４が取付けられる。すなわち、プリント基板１０の両側をスライド保持枠７にはめこんでスライドさせ、ケース本体２の底面開口部に結合する底板で上記プリント基板１０の一端部を固定して構成されている。
【０００７】
さらに図９に示すものは、上面に収納凹部１を備えたケース本体２の内部に収納凹部１の底面に平行なスライド保持枠７を設け、このスライド保持枠７に回路ユニット４のプリント基板１０をはめこんでスライドさせ、回路ユニット４の１次側コイル８を収納凹部１の底面に近接配置させる構成となっている。
【０００８】
【発明が解決しようとする課題】
上記従来の非接触式電源装置においては以下のような問題点をそれぞれ有するものであった。
【０００９】
まず、図７に示す構成のものは、ビス６を用いた回路ユニット４の取付けであるため組立て作業に手間を要し、生産性の点で劣るとともに、回路ユニット４は基本的にはプリント基板に各種電子部品とともに１次側コイルを実装しているため、その１次側コイルの実装状態によってはプリント基板から収納凹部１の底面に向って突出する１次側コイルの高さにばらつきが発生し、充電性能がばらつくおそれがあった。
【００１０】
また、図８に示す構成のものは、図７に示したものに比べて組立て作業は向上するが、スライド式で回路ユニット４をケース本体２に組込むため、回路ユニット４のプリント基板１０をスライド保持枠７で位置規制しており、プリント基板１０の反りや１次側コイル８のプリント基板１０への実装高さのばらつきにより、収納凹部１に装着される携帯用電子機器１１の２次側コイル１２と１次側コイル８との距離がばらついて充電性能にばらつきが発生し、信頼性の点で劣るものとなっていた。
【００１１】
さらに図９に示す構成のものも図８のものと同様で、充電性能にばらつきが発生し、品質面で信頼性に劣るものとなっていた。
【００１２】
本発明は以上のような従来の欠点を除去し、組立てやすく、かつ充電性能の安定した非接触式電源装置を提供することを目的とするものである。
【００１３】
【課題を解決するための手段】
前記課題を解決するために本発明の非接触式電源装置は、特に、１次側コイルのコイルボビンの外径方向に突出したつば部を一体に設けるとともに、そのつば部を１次側コイル保持部で保持することにより、前記１次側コイルの先端を収納凹部の壁面に当接させるとともに、前記１次側コイルを前記携帯用電子機器の２次側コイルに対向させたことを特徴とするものである。
【００１４】
この構成とすることにより、携帯用電子機器が収納される収納凹部と１次側コイルとの距離が常に一定に保て、充電性能が著しく安定するとともに組立ても容易となる。
【００１５】
【発明の実施の形態】
本発明の請求項１に記載の発明は、特に、１次側コイルのコイルボビンの外径方向に突出したつば部を一体に設けるとともに、そのつば部を１次側コイル保持部で保持することにより、前記１次側コイルの先端を収納凹部の壁面に当接させるとともに、前記１次側コイルを前記携帯用電子機器の２次側コイルに対向させたことを特徴とするものであり、１次側コイルの本体ケースに対する取付位置が安定し、充電性能の優れたものとすることができる。
【００１６】
請求項２に記載の発明は、特に、１次側コイル保持部が相対向するように設けられたスリットからなり、このスリットに１次側コイルに設けられたつば部を圧入することにより回路ユニットを保持したことを特徴とするものであり、この構成とすることにより組立てもスライド式で組込め、かつ、１次側コイルの取付位置も安定し、充電性能の優れたものとすることができる。
【００１７】
請求項３に記載の発明は、特に、プリント基板の一端側を本体ケースの内部に設けたリブに当接させるとともに、前記プリント基板の他端側を前記本体ケースの底板に当接させることにより回路ユニットを保持したことを特徴とする構成であり、この構成とすることにより、回路ユニットの保持をより確実にすることができる。
【００１８】
（実施の形態１）
本発明の実施の形態１について図１、図２を用いて説明する。図１は本実施の形態１における携帯用電子機器をセットし充電している状態を示す非接触式電源装置を示す断面図、図２は同分解断面図である。
【００１９】
図１、図２において、２０は合成樹脂などの絶縁材によって形成された本体ケース、２１はこの本体ケース２０の上面の一部に形成された収納凹部、２２はこの本体ケース２０の内部に上記収納凹部２１の側壁と平行に設けられた１次側コイル保持部、２３はこの１次側コイル保持部２２により本体ケース２０内に取付けられた回路ユニット、２４はこの回路ユニット２３を構成するプリント基板、２５はこのプリント基板２４に組込まれ制御回路、整流回路などを構成する抵抗、コンデンサ、半導体などの電子部品、２６は同じくプリント基板２４の一部に実装された１次側コイル、２７は回路ユニット２３に接続されたＡＣ電圧を回路ユニット２３に供給するＡＣコード、２８は本体ケース２０の底面の開口部に結合された底板、２９は本体ケース２０の収納凹部２１に下部を収納される携帯用電話機などの携帯用電子機器、３０はこの携帯用電子機器２９の下部の側面に設けられた２次側コイルである。
【００２０】
上記構成で、その組立ては図２に示すように本体ケース２０を逆向けにし、１次側コイル２６、各種電子部品２５、ＡＣコード２７を組込んだプリント基板２４からなる回路ユニット２３を底面の開口部から組込み、本体ケース２０の内部に一体に設けた１次側コイル保持部２２のスリット３１に１次側コイル２６のコイルボビン３２のつば部３３を圧入して結合し、この回路ユニット２５のプリント基板２４の端部を本体ケース２０に結合する底板２８の突部３４で固定して行われている。
【００２１】
この構成とすることにより、１次側コイル保持部２２は本体ケース２０と一体に形成されており、収納凹部２１の壁面とも一定の間隔をもって形成されており、この１次側コイル保持部２２のスリット３１に１次側コイル２６のコイルボビン３２のつば部３３を圧入結合するため、コイルボビン３２の高さと、１次側コイル保持部２２と収納凹部２１の壁面との寸法をほぼ同じに設定すれば、１次側コイル２６の先端は確実に収納凹部２１の壁面に当接するように取付けられることになる。
【００２２】
したがって、本体ケース２０の収納凹部２１に携帯用電子機器２９を収納することによって、この携帯用電子機器２９の２次側コイル３０と近接した状態で対向することになり、電磁誘導による１次側コイル２６から２次側コイル３０への電力の供給が安定して効率的に行われ、設計通りの時間で携帯用電子機器２９の２次電池に充電を行えることになる。
【００２３】
また、回路ユニット２３のプリント基板２４は、本体ケース２０に結合する底板２８の突部３４により位置規制されるため、このプリント基板２４に実装した１次側コイル２６の位置も規制されることになり、携帯用電子機器２９の２次側コイル３０と位置ずれを発生して充電効率を低下させるようなことがないようになっている。
【００２４】
（実施の形態２）
図３、図４は本発明の実施の形態２を示す断面図であり、基本的には実施の形態１と同じであるが、１次側コイル保持部２２を本体ケース２０の収納凹部２１の底面と平行に設けた点だけが異なる。
【００２５】
これは、携帯用電子機器２９として、下端面に２次側コイル３０を配置した場合の非接触式電源装置としたものである。
【００２６】
上記本体ケース２０の収納凹部２１の底面は、水平方向に傾斜させて、収納凹部２１に携帯用電子機器２９を収納したときの安定化と高さをできる限り低くするように設計されている。
【００２７】
したがって、回路ユニット２３を本体ケース２０内に組込む場合、回路ユニット２３の１次側コイル２６のコイルボビン３２のつば部３３を１次側コイル保持部２２のスリット３１に圧入した場合、図３に示すようにプリント基板２４の一端は底板２８の上面に当接して回路ユニット２３は位置決めされることになる。
【００２８】
この構成の組立て、動作並びにその作用効果については実施の形態１とほぼ同じである。
【００２９】
なお、回路ユニット２３の位置決めをより確実にするために、プリント基板２４の先端側を本体ケース２０の内面に設けたリブ３５に当接させ、底板２８と両方で位置決めするようにしてもよい。
【００３０】
また、１次側コイル保持部２２として、図５に示すように本体ケース２０の収納凹部２１の壁面から突片３６を引出し、その突片３６の先端にコ字状部３７を相対向するように形成して、コ字状部３７で相対向するスリット３１を形成し、ここに１次側コイル２６のコイルボビン３２のつば部３３を圧入する構成とすることができる。さらにその端部に回路ユニット２３のプリント基板２４の先端部を位置規制するリブ３５を設けることもできる。
【００３１】
さらに１次側コイル２６は、図６（ａ），（ｂ），（ｃ）に示すようにコイルボビン３２の外周に１次コイル３８が巻回され、内部に磁心３９を組込み、下部に端子４０および取付片４１を設けた端子板４２を設け、この端子板４２の上部に外方に大きく突出して１次側コイル保持部２２のスリット３１に圧入されるつば部３３を設けた構成となっている。
【００３２】
なお、上記実施の形態１，２において、１次側コイル保持部２２としては１次側コイル２６のコイルボビン３２のつば部３３を圧入するスリット３１を設けた構成を例としたが、この１次側コイル保持部２２は必ずしもスリット３１を設けたものでなくてもよく、収納凹部２１の壁面との間で１次側コイル２６のコイルボビン３２の２つのつば部を挟持する構成としてもよい。
【００３３】
【発明の効果】
以上のように本発明の非接触式電源装置は構成されるため、組立てが容易であるとともに、回路ユニットの１次側コイルを携帯用電子機器を収納する収納凹部の壁面と１次側コイル保持部間で保持して本体ケースに回路ユニットを組込むため、収納凹部にセットされる携帯用電子機器に組込まれた２次側コイルとの距離を著しく安定化させることができ、１次側コイルから２次側コイルに電磁誘導により効率的にかつ確実に電力を供給することができ、充電特性の安定したものとすることができる。
【図面の簡単な説明】
【図１】本発明の非接触式電源装置の一実施の形態における概略の断面図
【図２】同分解断面図
【図３】本発明の他の実施の形態の断面図
【図４】同分解断面図
【図５】同本体ケースの主要部の断側面図
【図６】（ａ）同１次側コイルの上面図
（ｂ）同１次側コイルの正面図
（ｃ）同１次側コイルの側面図
【図７】従来の非接触式電源装置の分解斜視図
【図８】他の従来例を示す分解断面図
【図９】さらに他の従来例を示す分解断面図
【符号の説明】
２０  本体ケース
２１  収納凹部
２２  １次側コイル保持部
２３  回路ユニット
２４  プリント基板
２５  電子部品
２６  １次側コイル
２７  ＡＣコード
２８  底板
２９  携帯用電子機器
３０  ２次側コイル
３１  スリット
３２  コイルボビン
３３  つば部
【図１】
0003572931.tif 000002
【図２】
0003572931.tif 000003
【図３】
0003572931.tif 000004
【図４】
0003572931.tif 000005
【図５】
0003572931.tif 000006
【図６】
0003572931.tif 000007
【図７】
0003572931.tif 000008
【図８】
0003572931.tif 000009
【図９】
0003572931.tif 000010